(57)【特許請求の範囲】
【請求項１】
遊技基板とこれに接着剤を介在させて重ね合わされた意匠盤面を構成する化粧シートとが受台と昇降可能な加圧体とで押付けられることによって接着剤で結合される遊技機製造用コールドプレス装置において、遊技基板と化粧シートとが接着剤を介在させて重ね合わせられてから受台と加圧体とで押付けられるまでの間に化粧シートの周囲にはみ出した接着剤を乾燥させる空気吹付手段を備え、空気吹付け手段の空気吹出口を加圧体に設けたことを特徴とする遊技機製造用コールドプレス装置。
【請求項２】
空気吹出口から吹き出される空気による化粧シートの上面から外側に向けて流れるように吹き付けられる気流を形成可能な方向に空気吹出口が向けられたことを特徴とする請求項１記載の遊技機製造用コールドプレス装置。
【請求項３】
空気吹付手段の吹出空気系統に除湿機を設けたことを特徴とする請求項１記載の遊技機製造用コールドプレス装置。
【請求項４】
空気吹付手段の吹出空気系統に加熱機を設けたことを特徴とする請求項１記載の遊技機製造用コールドプレス装置。
【発明の詳細な説明】
【０００１】
【発明の属する技術分野】
本発明は化粧シートを押付けることで化粧シートと遊技基板とを接着剤で結合する遊技機製造用コールドプレス装置に関する。
【０００２】
【従来の技術】
従来、パチンコ機の遊技主体たる遊技盤はベニヤと呼ばれるような合板よりなる遊技基板に、裏面に意匠図の描かれた化粧シートをエマルジョンタイプの接着剤で取付けることで、遊技盤が製造される。この製造された遊技盤において、化粧シートは遊技盤の意匠盤面を構成する。その後、遊技釘、ガイドレール、入賞部品、飾り、サイドランプ、賞球ランプ、完了ランプ等の前側部品、セット板、集合樋、制御装置等の裏側部品が遊技盤に組付けられる。
【０００３】
【発明が解決しようとする課題】
前記遊技基板と化粧シートとの貼り合わせ工程では、第１工程で駆動ローラと接着剤の付いた転写ローラとの間に遊技基板を通すことで遊技基板の上面に接着剤を全面的に層状に形成し、第２工程で遊技基板の接着剤の上に化粧シートを位置決めしつつ重ね合わせ、第３工程で受台が遊技基板を支える一方、昇降可能な加圧体が化粧シートを押付けることによって、化粧シートと遊技基板とを接着剤でしっかりと結合させる。そして、図２を参照し、第３工程に用いられるコールドプレス装置について述べると、化粧シート１０が剥がれ防止の観点から遊技基板９よりも一周り小さな同形になっており、加圧体１２の化粧シート１０を押付ける下面１３が一点鎖線Ｌで示すように化粧シート１０よりも広い面積に形成されていることから、加圧体１２が化粧シート１０を押付けた場合に、化粧シート１０の周囲に額縁状にはみ出した接着剤１１が加圧体１２の下面１３に付着することがある。この接着剤１１の加圧体１２への付着が発生した場合、次に押付けられる化粧シート１０に加圧体１２から転写されたり、或いは、時間の経過と共に付着した接着剤１１が硬化し、硬化した接着剤１１が次に押付けられる化粧シート１０に損傷を与えるという問題点があった。
【０００４】
そこで、本発明は、加圧体への接着剤の付着を防止することができる遊技機製造用コールドプレス装置を提供するものである。
【０００５】
【課題を解決するための手段】
本発明にあっては、遊技基板と化粧シートとが接着剤を介在させて重ね合わせられてから受台と加圧体とで押付けられるまでの間に化粧シートの周囲にはみ出した接着剤を乾燥させる空気吹付手段を備えたことによって、加圧体と受台とが遊技基板と化粧シートとを挟む以前に、空気吹付手段が吹き出した空気で化粧シート周りにはみ出した接着剤を乾燥するので、化粧シートの周囲に存在する接着剤が加圧体の下面に付着することを防止することができるとともに、空気吹付手段の空気吹出口を加圧体に設けたことによって、遊技基板の接着剤の上に化粧シートを位置決めしつつ重ね合わせてから遊技基板を受台で支えるまでの間に空気吹付手段によるはみ出し接着剤の乾燥のための工程を取り入れる必要がないので、遊技基板と化粧シートとの貼り合わせ作業が短時間となる。また、本発明にあっては、空気吹出口から吹き出される空気による化粧シートの上面から外側に向けて流れるように吹き付けられる気流を形成可能な方向に空気吹出口が向けられれば、空気吹出口から吹き出された空気が化粧シートの周縁より化粧シートと接着剤との間に吹き込むことがなく、化粧シートの周縁部をも遊技基板に適切に接着剤で結合することができる。また、本発明にあっては、空気吹付手段の吹出空気系統に除湿機を設ければ、はみ出し接着剤を早く乾燥することができる。また、本発明にあっては、空気吹付手段の吹出空気系統に加熱機を設ければ、はみ出し接着剤を一層早く乾燥することができる。
【０００６】
【発明の実施の形態】
図１は一実施形態に係るコールドプレス装置を模式的に示し、１はオイル又はエアシリンダのような駆動源、２は駆動源１のピストンロッドのような昇降可動体、３は昇降可動体２の下端に取付けられた加圧体、４は加圧体３の下面、５は無端状のゴムベルトのような搬送体、６は搬送体５が巻き掛けられた一対の回転体、７は受台、８はコールドプレス装置の加工対象部品、９は加工対象部品８の遊技基板、１０は加工対象部品８の化粧シート、１１は加工対象部品８の接着剤である。一対の回転体６の一方は図外のモータで一方向に回転駆動される駆動輪であり、他方はモータの回転動力で一方向に移動する搬送体５で一方向に回転する従動輪である。矢印Ｘ１は搬送体５の搬送方向を示す。駆動源１、回転体６、受台７は図外のコールドプレス装置の装置本体に１つのまとまりとして組付けられている。以上の構造は公知である。
【０００７】
本実施形態の特徴的な構造について詳述する。加圧体３には空気吹付手段１５の複数の空気吹出口１６が加圧体３の周方向に分散配置された形態で取付けられ、空気吹出口１６から吹き出された空気が遊技基板９に接着剤１１を介在させて重ね合された化粧シート１０の周辺にまんべんなく吹き付けられるようになっている。空気吹出口１６に接続された空気吹付手段１５の吹出空気系統１７はコンプレッサ１８と開閉弁１９と除湿機２０及び加熱機２１を備える。そして、コンプレッサ１８と除湿機２０及び加熱機２１が電力で起動すると、コンプレッサ１８が内部に吹き付け用の加圧された空気を貯蔵し、その貯蔵された内部空気の圧力がコンプレッサ１８に設定された圧力以上になると、開閉弁１９が開き、空気がコンプレッサ１８から除湿機２０及び加熱機２１を経由して空気吹出口１６に到達する。この過程において、コンプレッサ１８から排出された空気は除湿機２０で除湿されるとともに加熱機２１で加熱される。この加熱機２１で加熱されて空気吹出口１６から吹き出される空気の温度は化粧シート１０に熱的な悪影響を及ぼさない温度になっている。その理由は化粧シート１０が合成樹脂製の表皮層の裏面に意匠図を印刷で描画した形態であり、表皮層及び意匠図が熱劣化を受けると品質信頼性を失い製品として使用することができなくなるからである。また、空気吹出口１６は空気吹出口１６から吹き出される空気が化粧シート１０の上面から外側に向けて流れるように吹き付けられる矢印Ｘ２で示す気流を形成可能な方向に向けられている。
【０００８】
本実施形態の構造によれば、加工対象部品８の遊技基板９と化粧シート１０とが接着剤１１を介在させて重ね合わされた状態で搬送体５の搬送方向上流側から搬送体５の上に供給されると、加工対象部品８が搬送体５の搬送動作で受台７の真上に到達する。加工対象部品８が全体的に受台７の真上に到達すると、搬送体５の搬送動作が停止する。それと並行し、湿度調整及び温度調整された空気が空気吹出口１６から吹き出されて化粧シート１０の上面から化粧シート１０の外側に向けて化粧シート１０より周りにはみ出した接着剤１１を舐めるように流れる。これによって、化粧シート１０より周りにはみ出した接着剤１１が空気で乾燥されて硬化しつつ接着力を剥奪される。その後、駆動源１が昇降動作を開始し、それに伴い加圧体３が加工対象部品８に向けて下降する。その過程において、下面４が化粧シート１０を押付けると共に、受台７が遊技基板９を搬送体５と共に支えることによって、遊技基板９と化粧シート１０とが接着剤１１でしっかりと投錨結合される。このように、遊技基板９と化粧シート１０とが加圧体３と受台７とで上下方向に挟まれる以前に、化粧シート１０周りにはみ出した接着剤１１が空気吹出口１６から吹き出された空気で乾燥されているので、化粧シート１０の周囲に存在する接着剤１１が下面４に付着するような不都合は解消される。空気吹出口１６から空気を吹き出す期間を遊技基板９と化粧シート１０とが接着剤１１を介在させて重ね合わせられてから加圧体３と受台７とで押付けられるまでの間に設定し、それ以外の間は開閉弁１９を閉じておけば、コンプレッサ１８の駆動を少なくすることができる。図１において結合子Ａは互いに接続される。
【０００９】
前記実施形態では吹出空気系統１７に除湿機２０と加熱機２１とを併用したが、除湿機２０と加熱機２１との何れか一方だけを設けても適用できる。除湿機２０と加熱機２１とを併用した場合にコンプレッサ１８から空気吹出口１６への空気の流れの上流側に加熱機２１を設け、下流側に除湿機２０を設けてもよい。コンプレッサ１８に代えてモータで駆動するファンで吹き付け用の加圧された空気を生成してもよい。除湿機２０と加熱機２１とは空気調和機で代替してもよい。空気吹出口１６を加圧体１２より取外して搬送体５による加工対象部品８の搬送方向上流側に設ければ、加工対象部品８が受台７に搭載される以前にはみ出し接着剤１１を乾燥することができる。更に、１つの加圧体３と１つの受台７とで１つの加工対象部品８を加工したが、１つの加圧体３と１つの受台７とで複数の加工対象部品８を同時に加工することができる。
【図面の簡単な説明】
【図１】  実施形態のコールドプレス装置を示す模式図。
【図２】  従来のコールドプレス装置を示す模式図。
【符号の説明】
３  加圧体
４  下面
７  受台
９  遊技基板
１０  化粧シート
１１  接着剤
１５  空気吹付手段
１６  空気吹出口
２０  除湿機
２１  加熱機
【図１】
0004098516.tif 000002
【図２】
0004098516.tif 000003